(57)【要約】【課題】クロム化合物を含まず、紫外線露光及び希アルカリ水溶液による現像が可能であって、高感度であり、しかも熱安定性及び現像管理幅が良好で、塗膜が優れた性能を示すソルダーレジストインクとして好適な感光性樹脂組成物を提供すること。【解決手段】（Ａ）三価の有機リン化合物とナフテン酸ジルコニウム及びオクチル酸ジルコニウムの少なくとも１種との存在下で、多官能エポキシ化合物と不飽和一塩基酸とを反応させ、更に多塩基酸無水物を反応させることにより生成したカルボキシル基に不飽和二重結合を有するモノエポキシ化合物及び水溶性モノエポキシ化合物を反応させて得られる感光性樹脂、（Ｂ）エポキシ樹脂、（Ｃ）光重合開始剤並びに（Ｄ）反応性希釈剤を含有することを特徴とする感光性樹脂組成物である。【選択図】なし【特許請求の範囲】
【請求項１】
（Ａ）三価の有機リン化合物とナフテン酸ジルコニウム及びオクチル酸ジルコニウムの少なくとも１種との存在下で、多官能エポキシ化合物と不飽和一塩基酸とを反応させ、更に多塩基酸無水物を反応させることにより生成したカルボキシル基に不飽和二重結合を有するモノエポキシ化合物及び水溶性モノエポキシ化合物を反応させて得られる感光性樹脂、（Ｂ）エポキシ樹脂、（Ｃ）光重合開始剤並びに（Ｄ）反応性希釈剤を含有することを特徴とする感光性樹脂組成物。
【請求項２】
前記感光性樹脂が、前記カルボキシル基１モルに対して、前記不飽和二重結合を有するモノエポキシ化合物及び前記水溶性モノエポキシ化合物を総量で０．１５モル〜０．２５モル（但し、水溶性モノエポキシ化合物は０．０３モル未満）反応させて得られたものであることを特徴とする請求項１に記載の感光性樹脂組成物。
【請求項３】
前記ナフテン酸ジルコニウム及びオクチル酸ジルコニウムの少なくとも１種を、質量基準で、三価の有機リン化合物の少なくとも４倍使用することを特徴とする請求項１又は２に記載の感光性樹脂組成物。
【請求項４】
三価の有機リン化合物とナフテン酸ジルコニウム及びオクチル酸ジルコニウムの少なくとも１種との存在下で、多官能エポキシ化合物と不飽和一塩基酸とを反応させる第一工程と、
第一工程で得られた生成物に多塩基酸無水物を反応させる第二工程と、
第二工程で得られた生成物に不飽和二重結合を有するモノエポキシ化合物及び水溶性モノエポキシ化合物を反応させる第三工程と
を含むことを特徴とする感光性樹脂の製造方法。
【請求項５】
空気を吹き込みながら前記第一工程における反応を行うことを特徴とする請求項４に記載の感光性樹脂の製造方法。
【発明の詳細な説明】
【技術分野】
【０００１】
本発明は、感光性樹脂組成物に関し、さらに詳しくは、クロム化合物を含まず、紫外線露光に対し高感度であり、得られた塗膜が良好な物性を有し、希アルカリにより現像可能な感光性樹脂組成物に関するものである。
【背景技術】
【０００２】
近年、各種プリント配線板のソルダーレジストインクとしては、希アルカリ現像型の液状ソルダーフォトレジストインクが広く用いられている。希アルカリ現像型の感光性樹脂としては、例えば、エポキシアクリレート樹脂の水酸基に酸無水物を反応させて得られる酸ペンダント型エポキシアクリレート樹脂が知られている。従来、こうした酸ペンダント型エポキシアクリレート樹脂の合成触媒には、良好な熱安定性及び現像管理幅を得るために、ナフテン酸クロムが使用されてきた。ところが、昨今の環境問題に対する意識の高まりや現像後の廃液処理の煩雑さの点からみて、ナフテン酸クロムのようなクロム化合物を合成触媒として使用することは好ましくない。そこで、例えば、特許文献１には、有機リン化合物を合成触媒として使用し、所定の条件下で多官能エポキシ樹脂と不飽和一塩基酸とを反応させ、更に酸無水物を反応させて得られる感光性樹脂が提案されている。
【０００３】
【特許文献１】特開２００５−４１９５８号公報
【発明の開示】
【発明が解決しようとする課題】
【０００４】
しかしながら、特許文献１に記載される感光性樹脂は、最近のソルダーレジストインクに要求されるような感度、熱安定性、現像管理幅、耐熱性、耐溶剤性等の性能を高いレベルでバランスさせることはできておらず、未だ改良の余地がある。
従って、本発明は、クロム化合物を含まず、紫外線露光及び希アルカリ水溶液による現像が可能であって、高感度であり、しかも熱安定性及び現像管理幅が良好で、塗膜が優れた性能を示すソルダーレジストインクとして好適な感光性樹脂組成物を提供することを目的とするものである。
【課題を解決するための手段】
【０００５】
本発明者らは、前記した問題点を解消すべく鋭意検討した結果、三価の有機リン化合物とナフテン酸ジルコニウム及びオクチル酸ジルコニウムの少なくとも１種との存在下で、多官能エポキシ化合物と不飽和一塩基酸とを反応させ、更に多塩基酸無水物を反応させることにより生成したカルボキシル基に不飽和二重結合を有するモノエポキシ化合物及び水溶性モノエポキシ化合物を反応させて得られる感光性樹脂を配合した感光性樹脂組成物が上記の目的に合致することを見出し、本発明を完成するに至った。
すなわち、本発明は、（Ａ）三価の有機リン化合物とナフテン酸ジルコニウム及びオクチル酸ジルコニウムの少なくとも１種との存在下で、多官能エポキシ化合物と不飽和一塩基酸とを反応させ、更に多塩基酸無水物を反応させることにより生成したカルボキシル基に不飽和二重結合を有するモノエポキシ化合物及び水溶性モノエポキシ化合物を反応させて得られる感光性樹脂、（Ｂ）エポキシ樹脂、（Ｃ）光重合開始剤並びに（Ｄ）反応性希釈剤を含有することを特徴とする感光性樹脂組成物である。
また、本発明は、三価の有機リン化合物とナフテン酸ジルコニウム及びオクチル酸ジルコニウムの少なくとも１種との存在下で、多官能エポキシ化合物と不飽和一塩基酸とを反応させる第一工程と、第一工程で得られた生成物に多塩基酸無水物を反応させる第二工程と、第二工程で得られた生成物に不飽和二重結合を有するモノエポキシ化合物及び水溶性モノエポキシ化合物を反応させる第三工程とを含むことを特徴とする感光性樹脂の製造方法である。
【発明の効果】
【０００６】
本発明によれば、クロム化合物を含まず、紫外線露光及び希アルカリ水溶液による現像が可能であって、高感度であり、しかも熱安定性及び現像管理幅が良好で、塗膜が優れた性能を示すソルダーレジストインクとして好適な感光性樹脂組成物を提供することができる。
【発明を実施するための最良の形態】
【０００７】
以下、本発明を詳細に説明する。
まず、本発明の感光性樹脂組成物について説明する。
本発明の感光性樹脂組成物における（Ａ）成分は、三価の有機リン化合物とナフテン酸ジルコニウム及びオクチル酸ジルコニウムの少なくとも１種との存在下で、多官能エポキシ化合物と不飽和一塩基酸とを反応させ、更に多塩基酸無水物を反応させ、これにより生成したカルボキシル基に不飽和二重結合を有するモノエポキシ化合物及び水溶性モノエポキシ化合物を反応させて得られる感光性樹脂である。
【０００８】
本発明の（Ａ）成分の物性は、合成時に使用する触媒の影響が大きく、現像管理幅も触媒の影響を受ける傾向にある。また、異なる特性を持つ触媒を併用した場合、それぞれの短所が出る傾向にあるが、本発明者らは、三価の有機リン化合物をナフテン酸ジルコニウム及びオクチル酸ジルコニウムの少なくとも１種と併用した場合、予想に反し、クロム系触媒を用いた場合と同等の物性が得られることを見出した。
【０００９】
触媒の使用量は、多官能エポキシ樹脂及び不飽和一塩基酸の総量１００質量部に対して、好ましくは、三価の有機リン化合物とナフテン酸ジルコニウム及びオクチル酸ジルコニウムの少なくとも１種との総量が１．２質量部〜６．０質量部となる量である。その際、ナフテン酸ジルコニウム及びオクチル酸ジルコニウムの少なくとも１種は、質量基準で、三価の有機リン化合物の少なくとも４倍使用することが好ましく、４倍〜６倍使用することが更に好ましい。三価の有機リン化合物とナフテン酸ジルコニウム及びオクチル酸ジルコニウムの少なくとも１種との総量が少な過ぎたり、ナフテン酸ジルコニウム及びオクチル酸ジルコニウムの少なくとも１種の使用量が三価の有機リン化合物の４倍未満であったりすると、反応触媒として十分に機能しない場合がある。一方、三価の有機リン化合物が多過ぎると、得られる感光性樹脂の熱安定性が低下する傾向があり、また、ナフテン酸ジルコニウム及びオクチル酸ジルコニウムの少なくとも１種が多過ぎても、使用量に見合った効果はなく経済的でない。
【００１０】
本発明で使用される多官能エポキシ化合物としては、特に制限はないが、例えば、ビスフェノールＡ型、ビスフェノールＦ型、フェノールノボラック型、クレゾールノボラック型、ビスフェノールＡノボラック型、環状脂肪族エポキシ樹脂、複素環型などのエポキシ樹脂及びこれらに臭素原子や塩素原子等のハロゲン原子を導入したもの等が挙げられる。これらの中で、特に、クレゾールノボラック型エポキシ樹脂が好適である。
【００１１】
本発明で使用される不飽和一塩基酸としては、１個のカルボキシル基と１個以上の重合性不飽和基を有する一塩基酸であればよく、例えば、アクリル酸、メタクリル酸、クロトン酸、桂皮酸、ソルビタン酸、アクリル酸ダイマー等が挙げられる。これらの中で、特に、高い活性エネルギー光硬化性を得るという点から、アクリル酸の使用が好ましい。これらの不飽和一塩基酸は、１種単独で使用してもよいし、２種以上を組み合わせて使用してもよい。
【００１２】
これら不飽和一塩基酸は、多官能エポキシ化合物のエポキシ基１．０当量に対して、０．８当量〜１．１当量反応させるのが好ましい。不飽和一塩基酸の割合が０．８当量未満であると、保存安定性が悪くなったり、合成時にゲル化等の問題が起こる場合があり、一方、１．１当量を越えると、臭気が発生したり、耐熱性が低下する傾向がある。
【００１３】
本発明で使用する多塩基酸無水物としては、無水マレイン酸、無水コハク酸、無水イタコン酸、無水フタル酸、テトラヒドロ無水フタル酸、ヘキサヒドロ無水フタル酸、エンドメチレンテトラヒドロ無水フタル酸、メチルテトラヒドロ無水フタル酸、無水クロレンド酸等の二塩基酸無水物、無水トリメリット酸、無水ピロメリット酸、ベンゾフェノンテトラカルボン酸無水物、ビフェニルテトラカルボン酸無水物等の多塩基酸無水物が挙げられる。これらの中で、特に、電食性に優れるという点から、テトラヒドロ無水フタル酸、ヘキサヒドロ無水フタル酸の使用が好ましい。
【００１４】
これら多塩基酸無水物の使用量は、多官能エポキシ化合物と不飽和一塩基酸とを反応させて得られた生成物の水酸基１．０モルに対して０．４モル〜０．９モルとなる割合であることが好ましく、０．６モル〜０．９モルの割合で反応させることが更に好ましい。多塩基酸無水物の使用量が０．４モル未満であると、十分なアルカリ現像性が得られない場合があり、一方、０．９モルを超えると、硬化塗膜の電気特性等が低下する傾向がある。
【００１５】
本発明で使用する不飽和二重結合を有するモノエポキシ化合物としては、例えば、グリシジルメタクリレート、グリシジルアクリレート、ダイセル化学工業株式会社製サイクロマーＡ２００、Ｍ１００のような脂環式エポキシ基を有する（メタ）アクリレートが挙げられる。
【００１６】
水溶性モノエポキシ化合物としては、下記式（Ｉ）
【００１７】
【化１】
2010102270.tif 000002
【００１８】
（式中、Ｒ1はアルキル基又はアリール基を示し、Ｒ2は繰り返し単位３以上のポリエチレンオキサイド又はポリプロピレンオキサイドを示す。）
で表される化合物（例えば、ナガセケムテックス株式会社製デナコール（登録商標）ＥＸ−１４５、ＥＸ−１７１等）、下記式（ＩＩ）
【００１９】
【化２】
2010102270.tif 000003
【００２０】
で表される化合物（例えば、坂本薬品工業株式会社製、ＳＹ−ＧＴＡ８０）等が挙げられる。多塩基酸無水物由来のカルボキシル基と結合する不飽和二重結合を有するモノエポキシ化合物は、樹脂の最外部に結合しているため、紫外線照射時の反応性が立体的に高く、紫外線照射に対して高い光感度を有する。また、水溶性モノエポキシ化合物は、樹脂のアルカリへの親和性を向上し、更に不飽和二重結合を有するモノエポキシ化合物の不飽和二重結合の運動性を適度に抑制し、保存時の樹脂の安定性を付与する。
【００２１】
多塩基酸無水物の反応により生成したカルボキシル基に反応させる不飽和二重結合を有するモノエポキシ化合物及び水溶性モノエポキシ化合物の量は、得られる感光性樹脂の感度、現像性及び電気特性等を考慮すると、生成したカルボキシル基１モルに対して、総量で０．１５モル〜０．２５モルの割合で反応させるのが好ましい。但し、その際、水溶性モノエポキシ化合物の量は、生成したカルボキシル基１モルに対して、０．０３モル未満の割合であることが好ましく、０．０１モル〜０．０２５モルの割合であることが更に好ましい。不飽和二重結合を有するモノエポキシ化合物及び水溶性モノエポキシ化合物の総量が０．１５モル未満であると、本発明の目的の一つである高感度化の効果が不十分になる傾向があり、一方、０．２５モルを超えると、アルカリ現像性が低下するする傾向がある。また、水溶性モノエポキシ化合物の量を０．０３モル以上としても加えた効果は低く、前述のアルカリ現像性の面からも現実的ではない。
【００２２】
本発明の感光性樹脂組成物における（Ｂ）成分であるエポキシ樹脂としては、ビスフェノールＡ型エポキシ樹脂、ビスフェノールＦ型エポキシ樹脂、水添ビスフェノールＡ型エポキシ樹脂、フェノールノボラック型エポキシ樹脂、クレゾールノボラック型エポキシ樹脂、ジシクロペンタジエン−フェノールノボラック型エポキシ樹脂、フェノール−クレゾールノボラック共縮合型エポキシ樹脂、ビスフェノールＡノボラック型エポキシ樹脂、ビスフェノールＦノボラック型エポキシ樹脂あるいはそれらのハロゲン化エポキシ化合物、トリフェニロールメタン型エポキシ樹脂、アルキル置換トリフェニロールメタン型エポキシ樹脂、テトラフェニロールエタン型エポキシ樹脂等の多官能フェノールにエピクロルヒドリンを反応させて得られるエポキシ樹脂、多官能ヒドロキシナフタレン類エピクロルヒドリンを反応させて得られるエポキシ樹脂、シリコーン変成エポキシ樹脂、ε−カプロラクトン変成エポキシ樹脂、エピクロルヒドリンと一級又は二級アミンとの反応によって得られるグリシジルアミン型エポキシ樹脂、トリグリシジルイソシアネート等の複素環式エポキシ樹脂等が挙げられる。これらのエポキシ樹脂は、１種単独で使用してもよいし、２種以上を組み合わせて使用してもよい。
【００２３】
これらエポキシ樹脂の配合量は、感光性樹脂１００質量部に対して、好ましくは３質量部〜１００質量部、更に好ましくは６質量部〜７５質量部である。エポキシ樹脂の配合量が３質量部未満であると、感光性樹脂中のカルボキシル基が実質的に反応する量に満たないため、耐水性、耐アルカリ性、電気特性が低下する傾向があり、一方、１００質量部を超えると、未反応のエポキシ基を有する線状重合体が生成するため、耐熱性、耐溶剤性が不十分となる場合がある。
【００２４】
また、エポキシ樹脂の密着性、耐薬品性、耐熱性等をより向上させるために、エポキシ硬化剤を併用することが好ましい。このようなエポキシ硬化剤としては、イミダゾール誘導体、フェノール誘導体、ジシアンジアミド、ジシアンジアミド誘導体、メラミン、メラミン樹脂、ヒドラジド誘導体、アミン類、酸無水物等が挙げられる。これらのエポキシ硬化剤は、１種単独で使用してもよいし、２種以上を組み合わせて使用してもよい。エポキシ硬化剤の配合量は、エポキシ樹脂のエポキシ基１モルに対して、硬化剤の活性水素量が０．５モル〜１．２モルとなる割合であることが好ましい。
【００２５】
本発明の感光性樹脂組成物における（Ｃ）成分である光重合開始剤としては、ベンゾイン、ベンゾインメチルエーテル、ベンゾインイソプロピルエーテル、ベンゾインイソブチルエーテル等のベンゾイン及びその誘導体、ベンジル、ベンジルジメチルケタール等のベンジル及びその誘導体、アセトフェノン、２，２−ジメトキシ−２−フェニルアセトフェノン、２，２−ジエトキシ−２−フェニルアセトフェノン、１，１−ジクロルアセトフェノン、１−ヒドロキシシクロヘキシルフェニルケトン、２−メチル−１−（４−メチルチオフィル）−２−モルフォリノプロパン−１−オン等のアセトフェノン及びその誘導体、２−メチルアントラキノン、２−クロロアントラキノン、２−エチルアントラキノン、２−ｔ−ブチルアントラキノン等のアントラキノン及びその誘導体、チオキサントン、２，４−ジメチルチオキサントン、２−クロロチオキサントン等のチオキサントン及びその誘導体、ベンゾフェノン、Ｎ，Ｎ−ジメチルアミノベンゾフェノン等のベンゾフェノン及びその誘導体が挙げられる。これらの光重合開始剤は、１種単独で使用してもよいし、２種以上を組み合わせて使用してもよい。さらに必要に応じて、各種のアミン化合物をこれら光重合開始剤と併用することにより、光重合開始効果が促進されることが公知であり、本発明においても、組み合わせて使用することができる。
【００２６】
これら光重合開始剤の配合量は、感光性樹脂１００質量部に対して、好ましくは０．１質量部〜２０質量部、更に好ましくは１質量部〜１０質量部である。光重合開始剤の配合量が０．１質量部未満であると、光重合開始剤としての効果が十分に得られない場合があり、一方、２０質量部を超えても配合量に見合った効果はなく経済的でない。
【００２７】
本発明の感光性樹脂組成物における（Ｄ）成分である反応性希釈剤は、活性エネルギー光線に対する硬化性及び／又は感光性樹脂組成物をレジストインクとして使用する場合の塗工性を向上させる目的で使用するものである。反応性希釈剤としては、活性エネルギー光線硬化性のあるモノマー類が好ましく、２−ヒドロキシエチルアクリレート、２−ヒドロキシプロピルアクリレート、Ｎ−ピロリドン、Ｎ−アクリロイルモルフォリン、Ｎ，Ｎ−ジメチルアクリルアミド、Ｎ，Ｎ−ジエチルアクリルアミド、Ｎ，Ｎ−ジメチルアミノエチルアクリレート、Ｎ，Ｎ−ジメチルアミノプロピルアクリレート、メトキシポリエチレングリコールアクリレート、エトキシポリエチレングリコールアクリレート、メラミンアクリレート、フェノキシエチルアクリレート、フェノキシプロピルアクリレート、エチレングリコールジアクリレート、ジプロピレングリコールジアクリレート、ポリジプロピレングリコールジアクリレート、トリメチロールプロパントリアクリレート、ペンタエリスリトールトリアクリレート、ペンタエリスリトールテトラアクリレート、ジペンタエリスリトールヘキサアクリレート、グリセリンジアクリレート、イソボロニルアクリレート、ジシクロペンテニルオキシエチルアクリレート及びこれらに対応する各種メタクリレートが挙げられる。これらの反応性希釈剤は、１種単独で使用してもよいし、２種以上を組み合わせて使用してもよい。
【００２８】
反応性希釈剤の配合量は、感光性樹脂１００質量部に対して、好ましくは５質量部〜２００質量部、更に好ましくは１０質量部〜１００質量部である。反応性希釈剤の配合量が、５質量部未満であると、光感度が十分に得られない場合があり、一方、２００質量部を超えると、感光性樹脂組成物をレジストインキとして使用する場合に粘度が低くなり過ぎ、硬化塗膜としての耐性が不十分になる場合がある。
【００２９】
また、塗工性の調整のために、反応性希釈剤と共に溶剤を使用することができる。このような溶剤としては、メチルエチルケトン、メチルイソブチルケトン、シクロヘキサノン等のケトン類、トルエン、キシレン等の芳香族炭化水素、エチルセロソルブ、ブチルセロソルブ、カルビトール、ブチルカルビトール等のカルビトール類、酢酸エチル、酢酸ブチル、セロソルブアセテート、ブチルセロソルブアセテート、エチルカルビトールアセテートなどが挙げられる。これらの溶剤は、１種単独で使用してもよいし、２種以上を組み合わせて使用してもよい。
【００３０】
本発明の感光性樹脂組成物を液状レジストインキとして使用する場合には、上記の（Ａ）〜（Ｄ）成分の他に、さらに必要に応じて、シリカ、炭酸カルシウム、硫酸バリウム、クレー、タルク等の無機充填剤、フタロシアニングリーン、フタロシアニンブルー、酸化チタン、カーボンブラック等の着色顔料、消泡剤、レベリング剤等の各種添加剤、ハイドロキノン、レゾルシノール、カテコール、ピロガノール、ハイドロキノンモノメチルエーテル、ｔ−ブチルカテコール、フェノチアジン等の重合防止剤を添加することができる。
【００３１】
次に、本発明の感光性樹脂の製造方法について説明する。
第一工程では、三価の有機リン化合物とナフテン酸ジルコニウム及びオクチル酸ジルコニウムの少なくとも１種との存在下で、多官能エポキシ化合物と不飽和一塩基酸とを公知の方法で反応させる。また、この反応は、反応時の熱重合を防ぐという点から、ハイドロキノン、メチルハイドロキノンなどの公知の重合禁止剤を系内に添加したり、系内に空気を吹き込みながら行うことが好ましい。
第一工程における反応温度は、好ましくは６０℃〜１５０℃であり、反応時間は、好ましくは５時間〜２０時間である。多官能エポキシ化合物が液状の場合、無溶剤で反応させることが可能であるが、多官能エポキシ化合物が固形の場合、溶剤中で反応させることが好ましい。ここで使用する溶剤としては、例えば、メチルエチルケトン、シクロヘキサノン等のケトン類、トルエン、キシレン等の芳香族炭化水素類、ジプロピレングリコールジメチルエーテル等のグリコールエーテル類、酢酸エチル、ブチルセロソルブアセテート、カルビトールアセテート、エチルカルビトールアセテート、ブチルカルビトールアセテート、ジプロピレングリコールモノメチルエーテルアセテート等のエステル類、石油エーテル、石油ナフサ、ソルベントナフサ等の石油系溶剤が挙げられる。
【００３２】
第二工程では、第一工程で得られた生成物に多塩基酸無水物を公知の方法で反応させる。第二工程における反応温度は、好ましくは８０℃〜１２０℃であり、反応時間は、好ましくは１時間〜６時間である。
【００３３】
第三工程では、第二工程で得られた生成物に不飽和二重結合を有するモノエポキシ化合物及び水溶性モノエポキシ化合物を公知の方法で反応させる。第三工程における反応温度は、好ましくは６０℃〜１５０℃であり、反応時間は、好ましくは０．５時間〜２０時間である。
【実施例】
【００３４】
以下、本発明を実施例によって更に詳細に説明するが、本発明はこれらの実施例に限定されるものではない。
【００３５】
＜合成例１＞
攪拌機、気体導入管及び還流管を備えたフラスコ内に、エチルカルビトールアセテート１９２質量部を仕込み、そこにクレゾールノボラック型エポキシ樹脂（東都化成株式会社製エポトート（登録商標）ＹＤＣＮ７０４、エポキシ当量２０６］２０６質量部（１当量）を溶解させた。更に、アクリル酸７２質量部（１．０モル）、ハイドロキノン０．２３質量部、トリフェニルホスフィン０．４質量部及びナフテン酸ジルコニウム（金属含有量６質量％）２質量部を仕込み、液面下部の気体導入管から空気を吹き込みながら１３０℃で１０時間反応を続け、酸価０．５ｍｇＫＯＨ／ｇの反応物（エポキシアクリレート）を得た。これにテトラヒドロ無水フタル酸１１１．０３質量部（０．７３モル）を加え、１２０℃で更に２時間反応させ、固形分酸価１０５．３ｍｇＫＯＨ／ｇの反応物を得た。これにグリシジルメタクリレート２２．７２質量部（０．１６モル）及びデナコール（登録商標）ＥＸ−１４５（ナガセケムテックス株式会社製、エポキシ当量４５０）９質量部（０．０２モル）を加え、１２０℃で更に３時間反応させ、更に不揮発分が６０％になるようにエチルカルビトールアセテートを追加し、固形分酸価７３．４ｍｇＫＯＨ／ｇの感光性樹脂Ａを得た。
【００３６】
＜合成例２＞
ナフテン酸ジルコニウム（金属含有量６質量％）２質量部の代わりにオクチル酸ジルコニウム（金属含有量１２質量）２質量部を用いる以外は、合成例１と同様の操作を行い、感光性樹脂Ｂを得た。
【００３７】
＜比較合成例１（特許文献１の実施例１に相当する）＞
攪拌機、気体導入管及び還流管を備えたフラスコ内に、エチルカルビトールアセテート１９２質量部を仕込み、そこにクレゾールノボラック型エポキシ樹脂（東都化成株式会社製エポトート（登録商標）ＹＤＣＮ７０４、エポキシ当量２０６］２０６質量部（１当量）を溶解させた。更に、アクリル酸７２質量部（１．０モル）、２、６−ジ−ｔ−ブチル−４−メトキシフェノール２．１７質量部、トリフェニルホスフィン０．４１５質量部を仕込み、液面下部の気体導入管から空気を吹き込みながら１３０℃で１０時間反応を続け、酸価１．０ｍｇＫＯＨ／ｇの反応物（エポキシアクリレート）を得た。これにテトラヒドロ無水フタル酸１１１．０３質量部（０．７３モル）及びナフテン酸リチウム（金属含有量３％）０．７０７質量部を加え、１２０℃で更に２時間反応させ、固形分酸価１０５．３ｍｇＫＯＨ／ｇの反応物を得た。これにグリシジルメタクリレート２２．７２質量部（０．１６モル）及びデナコール（登録商標）ＥＸ−１４５（ナガセケムテックス株式会社製、エポキシ当量４５０）９質量部（０．０２モル）を加え、１２０℃で更に３時間反応させ、更に不揮発分が６０％になるようにエチルカルビトールアセテートを追加し、固形分酸価７３．４ｍｇＫＯＨ／ｇの感光性樹脂Ｃを得た。
【００３８】
表１に示す配合比率に従って各成分を配合し、３本ロールによって充分混練し、感光性樹脂組成物を調製した。なお、表１中の感光性樹脂の質量は、樹脂固形分の値で示した。
【００３９】
次いで、予め面処理済のプリント配線基板に、上記の感光性樹脂組成物を３０μｍ〜４０μｍになるようにスクリーン印刷法により塗工し、８０℃で２０分間予備乾燥後、室温まで冷却し乾燥塗膜を得た。この塗膜を、オーク製作所製超高圧水銀灯露光装置を用いて２５０ｍＪ／ｃｍ2で露光し、その後、熱風乾燥器を用い１５０℃で３０分間加熱して硬化塗膜を得た。得られた塗膜について、以下に示す評価試験方法に従って、各種物性評価を行なった。これらの結果を表２に示した。
【００４０】
＜感度＞
予備乾燥後の乾燥塗膜に感度測定用ステップタブレット（コダック２１段）を設置し、オーク製作所製超高圧水銀灯露光装置を用いて２５０ｍＪ／ｃｍ2で露光し、１％炭酸ナトリウム水溶液を用い、スプレー圧２．０ｋｇｆ／ｍｍ2で６０秒間現像を行なった後の露光部分の除去されない部分の段数を測定した。除去されない部分の段数が大きいほど高感度である。
【００４１】
＜現像管理幅＞
予備乾燥時間を２０分、４０分、６０分又は８０分に変更した乾燥塗膜を用い、１％炭酸ナトリウム水溶液を用い、スプレー圧２．０ｋｇｆ／ｍｍ2で現像を行い現像後の塗膜の有無を観察し、下記の基準で評価した。乾燥時間が長くても現像可能なものほど現像管理幅が良好である。
○：現像時間６０秒後、目視で塗膜無し。
△：現像時間１２０秒後、目視で塗膜無し。
×：現像時間１２０秒後、目視で残膜有り。
【００４２】
＜半田耐熱性＞
硬化塗膜を、ＪＩＳ  Ｃ６４８１に準じて、全面が半田に浸かるように浮かべ、２６０℃の半田浴に１０秒間、３回浮かせ、取り出した後、膨れ又は剥れなどの塗膜の状態を観察し、下記の基準で評価した。
○：外観変化無し。
×：外観変化有り。
【００４３】
＜耐溶剤性＞
硬化塗膜を塩化メチレンに３０分浸せきした後の塗膜状態を評価した。
○：外観変化なし
△：外観わずかに変化あり
×：塗膜が剥離したもの
【００４４】
＜熱安定性＞
感光性樹脂Ａ〜Ｃそれぞれの樹脂固形分１００質量部に対して、トリメチロールプロパントリアクリレート１０質量部を加えて十分混合し、試験管に入れ、１２０℃で流動性がなくなるまでの時間をゲル化時間として評価した。結果を表３に示した。
【００４５】
【表１】
2010102270.tif 000004
【００４６】
【表２】
2010102270.tif 000005
【００４７】
【表３】
2010102270.tif 000006